(57)【要約】【課題】簡易な構成で健康管理を支援する情報を提供することが可能なサーバ装置等を提供すること。【解決手段】サーバ装置２１は、検査機関の血液検査管理装置から被験者の血液検査結果データを取得する検査結果取得部２３１と、予め定められた項目について取得された検査結果データと予めデータベースに記録されている基準値のデータとを比較することによって、被験者の健康状態に関連する関連情報を取得する関連情報取得部２３２と、ネットワークを介して取得された関連情報を記録媒体に提供する関連情報提供部２３４と、を備える。【選択図】図２
2016103211.tif 000002
【特許請求の範囲】
【請求項１】
所定のネットワークに接続されたサーバ装置であって、
被験者から採取された検体を検査した結果であってデータ化された検査結果を示す検査結果データを取得する検査結果取得手段と、
予め定められた項目について前記取得された検査結果データと予めデータベースに記録されている基準値のデータとを比較することによって、前記被験者の健康状態に関連する関連情報を取得する関連情報取得手段と、
前記ネットワークを介して、前記取得された関連情報を記録媒体に提供する関連情報提供手段と、
を備えたことを特徴とするサーバ装置。
【請求項２】
請求項１に記載のサーバ装置において、
前記関連情報提供手段が、前記取得された関連情報を所定のデータ形式によってデータ化して提供する、サーバ装置。
【請求項３】
請求項１又は２に記載のサーバ装置において、
前記関連情報取得手段が、前記基準値のデータとして前記項目について所定の健康状態を示す数値範囲のデータと、数値化された検査結果データと、を比較することによって関連情報を取得する、サーバ装置。
【請求項４】
請求項１又は２に記載のサーバ装置において、
前記基準値のデータが複数の記号の組み合わせによって示されており、
前記関連情報取得手段が、前記基準値のデータとして前記項目について前記健康状態が異常である前記記号の組み合わせを示すデータと、前記複数の記号の組み合わせを示す検査結果データと、を比較することによって前記関連情報を取得する、サーバ装置。
【請求項５】
請求項１〜４のいずれか１項に記載のサーバ装置において、
前記関連情報に基づいて、前記健康状態に関連する商品及びサービスの少なくとも一方の情報を有するデータベースを検索し、前記健康状態の改善に関する商品又はサービスの中から少なくとも一の商品又はサービスを選択する選択手段をさらに備え、
前記関連情報提供手段が、前記選択手段が選択した情報を前記記録媒体に提供する、サーバ装置。
【請求項６】
請求項１〜５のいずれか１項に記載のサーバ装置において、
前記関連情報に基づいて所定の特典情報を付与する特典情報付与手段をさらに備え、
前記関連情報提供手段が、前記特典情報を前記記録媒体に提供する、サーバ装置。
【請求項７】
請求項１〜６のいずれか１項に記載のサーバ装置において、
前記関連情報取得手段が、前記関連情報として前記被験者の健康状態に関連するリスク情報、アレルギー情報及びカロリー情報の少なくともいずれか１つを取得する、サーバ装置。
【請求項８】
請求項１〜７のいずれか１項に記載のサーバ装置において、
前記検査結果の履歴情報を取得する履歴情報取得手段をさらに備え、
前記関連情報提供手段が、前記取得された履歴情報に基づいた関連情報を前記記録媒体に提供する、サーバ装置。
【請求項９】
請求項１〜８のいずれか１項に記載のサーバ装置において、
前記関連情報提供手段が、前記取得した関連情報を前記記録媒体に印刷する印刷装置に提供する、サーバ装置。
【請求項１０】
請求項１〜８のいずれか１項に記載のサーバ装置において、
前記関連情報提供手段が、前記関連情報をメモリに記録する通信端末装置に提供する、サーバ装置。
【請求項１１】
所定のネットワークに接続された通信端末装置であって、
被験者から採取された検体を検査した結果であってデータ化された検査結果を示す検査結果データを取得する検査結果取得手段と、
予め定められた項目について取得された検査結果データと予めデータベースに記録されている基準値のデータとを比較することによって、前記被験者の健康状態に関連する関連情報を取得する関連情報取得手段と、
前記取得された関連情報が記録される関連情報記録手段と、
を備えたことを特徴とする通信端末装置。
【請求項１２】
コンピュータを、
被験者から採取された検体を検査した結果であってデータ化された検査結果を示す検査結果データを取得する検査結果取得手段、
予め定められた項目について取得された検査結果データと予めデータベースに記録されている基準値のデータとを比較することによって、前記被験者の健康状態に関連する関連情報を取得する関連情報取得手段、及び、
前記ネットワークを介して、前記取得された関連情報を前記記録媒体に提供する関連情報提供手段、
として機能させることを特徴とするプログラム。
【請求項１３】
コンピュータを、
被験者から採取された検体を検査した結果であってデータ化された検査結果を示す検査結果データを取得する検査結果取得手段、
予め定められた項目について取得された検査結果データと予めデータベースに記録されている基準値のデータとを比較することによって、前記被験者の健康状態に関連する関連情報を取得する関連情報取得手段、及び、
前記取得された関連情報が記録される関連情報記録手段、
として機能させることを特徴とするプログラム。
【請求項１４】
被験者から採取された検体を検査した結果であってデータ化された検査結果を示す検査結果データを取得し、
予め定められた項目について取得された検査結果データと予めデータベースに記録されている基準値のデータとを比較することによって、前記被験者の健康状態に関連する関連情報を取得し、
ネットワークを介して、前記取得された関連情報を前記記録媒体に提供することを特徴とする情報提供方法。
【請求項１５】
被験者から採取された検体を検査した結果であってデータ化された検査結果を示す検査結果データと、
予め定められた項目について取得された検査結果データと予めデータベースに記録されている基準値のデータとを比較することによって、取得された前記被験者の健康状態に関連する関連情報と、
が記録されていることを特徴とする記録媒体。
【発明の詳細な説明】
【技術分野】
【０００１】
本発明は、例えば、被験者の健康管理を支援する情報を提供するサーバ装置、通信端末装置、情報提供方法、プログラム及び記録媒体に関する。
【背景技術】
【０００２】
近年、病気になる前に自分の体の状態をチェックし健康管理を行うセルフメディケーションの考えが広まりつつある。医療費を抑制するためにも各人の健康管理は欠かせない状況になっている。
【０００３】
しかしながら、例えば、年一回の健康診断結果から生活習慣病の予備軍であるということが分かっていても、多くの人は多忙であり健康管理を継続して行なうことが難しいのが現実である。
【０００４】
そこで、最近では、飲食店を利用することで自然に健康管理を行うことができるレストラン内システムが提案されている（例えば、特許文献１）。
【０００５】
具体的には、特許文献１に記載のシステムは、ホスト端末装置、テーブル端末装置、精算端末装置、厨房端末装置、データ記憶装置及び健康検査器具によって構成され、それぞれがネットワークに接続されている。
【０００６】
そして、特許文献１に記載のシステムは、データ記憶装置に、ユーザの年齢及び性別を示すユーザ種別とユーザの健康検査結果データとが登録されたユーザ別健康管理データベースと、健康検査器具を用いて検査した血液検査結果、体重、血圧等の健康検査結果が登録されたユーザ別健康管理データベースと、を備えている。
【０００７】
この構成により、特許文献１に記載のシステムは、データ記憶装置に記憶されたデータに基づいてユーザ毎に食事管理コースを設定し、ユーザがその飲食店を利用する毎に、その食事管理コースにおける食事の提供スケジュールに従って、各回の食事の献立データを出力することができるようになっている。
【先行技術文献】
【特許文献】
【０００８】
【特許文献１】特開２００２−２３０１３０号公報
【発明の概要】
【発明が解決しようとする課題】
【０００９】
しかしながら、特許文献１に記載のシステムにあっては、ホスト端末装置等の各種装置を有し、それらが複雑な処理を行ってユーザの食事管理を行うようになっているので、システム構成が大がかりで複雑であり、簡易にシステム構築をし、健康管理に関するサービスを行うことができない。
【００１０】
本発明は、上述の課題を解決するためになされたものであって、その目的は、簡易な構成で健康管理を支援する情報を提供することが可能なサーバ装置等を提供することである。
【課題を解決するための手段】
【００１１】
上述した課題を解決するため、本発明は、所定のネットワークに接続されたサーバ装置であって、被験者から採取された検体を検査した結果であってデータ化された検査結果を示す検査結果データを取得する検査結果取得手段と、予め定められた項目について前記取得された検査結果データと予めデータベースに記録されている基準値のデータとを比較することによって、前記被験者の健康状態に関連する関連情報を取得する関連情報取得手段と、前記ネットワークを介して、前記取得された関連情報を記録媒体に提供する関連情報提供手段と、を備えた構成を有している。
【００１２】
この構成により、本発明は、被験者から採取された検体を検査した検査結果データと、予めデータベースに記録されている基準値のデータとを比較することによって、被験者の健康状態に関連する関連情報を取得し、取得された関連情報を記録媒体に提供するので、簡易な構成で健康管理を支援する情報を提供することができる。
【発明の効果】
【００１３】
本発明のサーバ装置などは、簡易な構成で健康管理を支援する情報を提供することができる。
【図面の簡単な説明】
【００１４】
【図１】本発明に係る情報提供システムの一実施形態の構成を示すシステム構成図である。
【図２】一実施形態の情報提供システムにおけるサーバ装置のブロック図である。
【図３】一実施形態の検査結果ＤＢに記録される血液検査結果データと、基準値ＤＢに記録される基準値のデータと、を示す図である。
【図４】一実施形態の情報提供システムにおいて、血液検査結果から得られたリスク判定結果情報（リスク情報）の一例を示す図である。
【図５】一実施形態の情報提供システムにおいて、関連情報の構成例を示す図である。
【図６】一実施形態の情報提供システムにおけるクライアント装置のブロック図である。
【図７】一実施形態の情報提供システムにおける血液検査結果シートの一例を示す図である。
【図８】一実施形態の情報提供システムにおける商品案内装置のブロック図である。
【図９】一実施形態の情報提供システムにおける商品案内装置が設けられた商品棚を模式的に示した図である。
【図１０】一実施形態の情報提供システムにおける情報提供システム全体の動作を示すフローチャートである。
【図１１】一実施形態の情報提供システムにおけるサーバ装置が実行するリスク情報提供処理を示すフローチャートである。
【図１２】一実施形態の情報提供システムにおけるクライアント装置が実行する検査結果印刷処理を示すフローチャートである。
【図１３】一実施形態の情報提供システムにおける商品案内装置が実行する商品案内処理を示すフローチャートである。
【図１４】一実施形態の変形例において、検査結果の各項目をランク付けした一例を示す図である。
【図１５】一実施形態の変形例において、血液脂質検査の中性脂肪改善のために勧める商品リストの一例を示す図である。
【図１６】一実施形態の変形例において、加齢黄斑変性の発症リスクを３ランクに分けた例を示す図である。
【図１７】一実施形態の変形例において、所定の商品が配置されている棚を識別表示する構成例を示す図である。
【図１８】一実施形態の変形例において、紙媒体に代えて通信端末装置のメモリに関連情報を提供する情報提供システムの構成を示すシステム構成図である。
【発明を実施するための形態】
【００１５】
以下、本発明に係る実施形態について、図面を参照しながら説明する。なお、以下の実施形態は、被験者から採取された検体の検査を実施する検査機関と、被験者の検査結果に基づいた情報を管理する管理機関と、被験者が利用する店舗と、における各種の装置を含む情報提供システムに対し、本発明に係るサーバ装置、通信端末装置及び情報提供方法並びにプログラム及び記録媒体を適用した場合の実施形態である。ただし、本発明は、その技術的思想を含む範囲内で以下の実施形態に限定されない。
【００１６】
［１］情報提供システムの概要
まず、図１を用いて本実施形態における情報提供システム１の構成及び概要について説明する。なお、図１は、本実施形態における情報提供システム１の構成を示すシステム構成図である。
【００１７】
本実施形態の情報提供システム１は、被験者の血液検査などの被験者から採取された検体を検査した結果に基づいて、被験者の健康状態に関する関連情報として、被験者の健康状態に関するリスク情報（具体的には、後述するリスク判定結果情報）、アレルギー情報やカロリー情報を取得し、健康状態の維持、改善を図るための商品（サービスも含む。）の提供その他に利用する際に、当該取得した関連情報を所定の記録媒体に提供するためのシステムである。
【００１８】
具体的には、本実施形態の情報提供システム１は、図１に示すように、被験者の血液検査を行う検査機関１０と、血液検査に関連する情報を管理する管理機関２０と、被験者が利用する店舗３０と、各々の構成要素を相互に接続するネットワーク４０と、を有している。
【００１９】
検査機関１０は、被験者から採取された血液検体について、例えば、肝機能検査、腎機能検査等の所定検査を行う検査装置を有する機関である。この検査機関１０は、血液検体を検査した結果であってデータ化された検査結果を示す検査結果データ（以下、「血液検査結果データ」という。）を管理する血液検査管理装置１１を備えている。血液検査管理装置１１は、ネットワーク４０に接続され、血液検査結果データを管理機関２０に提供するようになっている。
【００２０】
被験者から採取された血液検体は、例えば、ドラッグストアや薬局などの店舗３０から検査機関１０に送付されるようになっている。具体的には、店舗３０は、利用者が自身の指先から採血を行うための採血キット（図示せず）を備え、利用者が採血キットを用いて採取した血液検体を検査機関１０に送付する。検査機関１０では、血液検体の受領後、例えば１週間程度の期間内に当該血液検体について血液検査を実施し、その検査結果データを血液検査管理装置１１に保存する。
【００２１】
管理機関２０は、ネットワーク４０を介し、検査機関１０から血液検査結果データを取得し、取得した血液検査結果データを管理するサーバ装置２１を備え、健康状態の維持、改善を図るための商品を被験者に勧める情報を生成して管理する機関である。
【００２２】
特に、サーバ装置２１は、
（１）所定の被験者の血液検査結果データを取得し、
（２）予め定められた項目について、取得された血液検査結果データと予めデータベースに記憶されている基準値のデータとを比較し、
（３）所定の被験者の健康状態に関連する関連情報を取得し、
（４）ネットワーク４０を介して、取得された関連情報を記録媒体に提供する、
ことにより、血液検査結果データに基づいた被験者のリスク情報を提供する処理（以下、「リスク情報提供処理」という。）を実行する構成を有している。
【００２３】
店舗３０は、ネットワーク４０を介して管理機関２０から関連情報を受信する施設の一例である。店舗３０には、関連情報を受信するクライアント装置３１と、血液検査結果を用紙に印刷する印刷装置としてのプリンタ３２と、商品を案内する商品案内装置３３と、が備えられている。プリンタ３２によって印刷された印刷物には、血液検査結果及び２次元バーコードが含まれており、この印刷物を以下、血液検査結果シート３４と呼ぶ。
【００２４】
なお、本実施形態では、関連情報が提供される記録媒体として紙素材を用いた紙媒体を例に挙げるが、本発明はこれに限定されず、例えば、プラスチック素材を用いたフィルムやカードであってもよい。
【００２５】
ネットワーク４０は、例えば、有線若しくは無線のＩＰ（Ｉｎｔｅｒｎｅｔ  Ｐｒｏｔｏｃｏｌ）ネットワーク、又は、携帯電話網を含む公衆電話回線網その他のネットワークによって構成されている。
【００２６】
このような構成により、本実施形態の情報提供システム１は、被験者に健康状態の維持、改善を図るための情報を提供することができるようになっている。
【００２７】
なお、図１においては、検査機関１０及び管理機関２０が１つずつ記載されているが、本発明はこれに限定されない。具体的には、被験者から採取された検体の検査データを管理する機関としては、血液検査を行う検査機関１０の他に、例えば、ＤＮＡ検査を行う検査機関、尿や便の検査を行う検査機関など、複数の検査機関を含む構成であってもよい。同様に、管理機関２０も複数で構成されていてもよい。この構成の場合には、複数の血液検査管理装置１１及び複数のサーバ装置２１がネットワーク４０に接続されることとなる。
【００２８】
［２］管理機関におけるサーバ装置
次に、図２〜図５を用いて本実施形態の管理機関２０が備えるサーバ装置２１の構成について説明する。なお、図２は、本実施形態の管理機関２０におけるサーバ装置２１のブロック図であり、図３（ａ）は、本実施形態における検査結果ＤＢ２２１に記録される血液検査結果データの一例、及び、図３（ｂ）は、本実施形態における基準値のデータの一例を示す。また、図４は、本実施形態における血液検査結果から得られたリスク判定結果情報（リスク情報）の一例を示す図であり、図５は、本実施形態の関連情報の構成例を示す図である。
る。
【００２９】
本実施形態のサーバ装置２１は、図２に示すように、ネットワーク４０を介して各種のデータの授受を行う通信制御部２１１と、表示部２１２と、表示部２１２を制御する表示制御部２１３と、サーバ管理者が操作する操作部２１４と、リスク情報提供処理など各処理を実行するアプリケーションプログラムが記録され、各プログラムの実行中にワークエリアとして用いられるＲＯＭ／ＲＡＭ２１５と、を備えている。
【００３０】
さらに、サーバ装置２１は、各部を制御するサーバ管理制御部２１６と、各種データベースを有するデータベース２２０と、リスク情報提供処理など各処理を実行するためのデータ処理部２３０と、を備えている。また、上述の各部は、バス２１７によって相互に接続され、各構成要素間におけるデータの転送が実行される。
【００３１】
なお、サーバ装置２１に代えて、例えば、上記構成を有する通信端末装置により、情報提供システム１を実現することもできる。
【００３２】
通信制御部２１１は、所定のネットワークインターフェースであり、検査機関１０の血液検査管理装置１１及び店舗３０のクライアント装置３１と通信回線を構築し、各種のデータの授受を行う。
【００３３】
表示部２１２は、例えば液晶素子のパネルによって構成され、表示制御部２１３において生成された表示データに基づいて所定の画像を表示する。
【００３４】
表示制御部２１３は、サーバ管理制御部２１６及びデータ処理部２３０の制御の下、所定の画像を表示部２１２に描画させるために必要な描画データを生成し、生成した描画データを当該表示部２１２に出力する。
【００３５】
操作部２１４は、各種のボタン、各操作指令を入力する操作ボタン、テンキー等の多数のキーであって、表示部２１２上に設けられたタッチセンサにより構成され、各操作を行う際に用いられるようになっている。
【００３６】
ＲＯＭ／ＲＡＭ２１５には、サーバ装置２１の駆動に必要な各種のプログラムが記録されている。また、ＲＯＭ／ＲＡＭ２１５には、データ処理部２３０及びサーバ管理制御部２１６によって実行される様々なアプリケーションが記録されている。そして、ＲＯＭ／ＲＡＭ２１５は、各プログラムの実行中にワークエリアとして用いられる。
【００３７】
サーバ管理制御部２１６は、主に中央演算処理装置（ＣＰＵ）によって構成され、プログラムを実行することによって、サーバ装置２１の全体的な管理制御、及び、その他の各種処理の制御を行う。
【００３８】
データベース２２０は、例えば、ＨＤＤ（Ｈａｒｄ  Ｄｉｓｋ  Ｄｒｉｖｅ）等により構成され、被験者毎の検査結果のデータを記録する検査結果データベース（以下、「検査結果ＤＢ」という。）２２１と、各検査項目についての基準値のデータを記録する基準値データベース（以下、「基準値ＤＢ」という。）２２２と、商品の情報を記録する商品データベース（以下、「商品ＤＢ」という。）２２３と、を備えている。
【００３９】
検査結果ＤＢ２２１には、検査機関１０の血液検査管理装置１１から取得した被験者毎の血液検査結果データがデータベース化されて記録されている。
【００４０】
具体的には、検査結果ＤＢ２２１には、図３（ａ）に示すように、検査結果ＤＢ２２１に記録される血液検査結果データとして、
（１）血液脂質検査
（２）肝臓に関する検査
（３）腎臓に関する検査
（４）尿酸検査
（５）糖尿検査
の各検査項目についてのデータが被験者情報と対応して記録される。
【００４１】
なお、被験者情報には、被験者のＩＤ、氏名、性別、採血日等の情報が含まれる。また、血液脂質検査、肝臓及び腎臓に関する検査については、さらに複数の項目に分類された項目毎に検査結果が示されている。例えば、血液脂質検査には、中性脂肪ＴＧ、ＬＤＬコレステロール、ＨＤＬコレステロールの３つの項目が含まれる。
【００４２】
また、図３（ａ）においては、基準値ＤＢ２２２に記録された各基準値と比較され、当該基準値の範囲外にある検査値について、便宜上下線を付して示している。すなわち、図３（ａ）にはＩＤ＝１０３の被験者の検査結果では、中性脂肪ＴＧが範囲外の検査値が例示されている。
【００４３】
基準値ＤＢ２２２には、血液検査の各項目について、検査結果データが異常を示す数値であるか否かを判断するための基準値のデータが記録されている。
【００４４】
具体的には、基準値ＤＢ２２２には、図３（ｂ）に示すように、検査結果ＤＢ２２１に記録される血液検査結果データの検査項目に対して、健康状態が正常な数値範囲、すわなち、健康な人の数値範囲で表された基準値のデータが記録される。
【００４５】
例えば、基準値のデータとしては、各検査項目について、健康な人の集団の検査値を基に、その９５％の人が含まれる範囲を統計的に求めた値（基準値）が記録されている。
【００４６】
なお、後述するように、検査値が基準値の範囲内であれば、その検査項目については問題ないと判断される。
【００４７】
商品ＤＢ２２３には、血液検査の結果に基づいて被験者に勧める商品の情報が記録されている。本実施形態では、各商品の情報は、リスク情報（すなわち、リスク判定結果情報によって示されるリスクの情報）と結びつけられて商品ＤＢ２２３に記録されている。例えば、商品ＤＢ２２３には、脂質異常リスクに対応付けてＡ商品又はＢ商品の情報、又は、肝機能障害リスクに対応付けてＣ商品又はＤサービスの情報というように各種リスクに対応付けて商品又はサービスの情報とが関連付けられている。なお、商品やサービスの情報は、サーバ装置２１を管理する管理者により管理され、適宜更新されるようになっている。
【００４８】
データ処理部２３０は、検査機関１０における血液検査管理装置１１から血液検査結果データを取得する検査結果取得部２３１と、血液検査結果データから関連情報を取得する関連情報取得部２３２と、血液検査結果に基づいて被験者に推薦する商品を選択する商品選択部２３３と、血液検査結果データ及び関連情報を記録媒体に提供する関連情報提供部２３４と、を備えている。
【００４９】
検査結果取得部２３１は、検査機関１０の血液検査管理装置１１から被験者のＩＤにも基づいて、該当する被験者の血液検査結果データを取得する。そして、検査結果取得部２３１は、取得した血液検査結果データをデータベース２２０の検査結果ＤＢ２２１に記録する。なお、例えば、検査結果取得部２３１は、本発明の検査結果取得手段を構成する。
【００５０】
関連情報取得部２３２は、予め定められた項目について、取得された血液検査結果データと予め基準値ＤＢ２２２に記録されている基準値（具体的には、正常又は正常ではない健康状態を示す数値範囲）のデータとを比較し、被験者の健康状態に関連する関連情報を取得する。すなわち、本実施形態では、関連情報取得部２３２は、関連情報として被験者の健康状態に関連するリスク判定結果情報、例えば、被験者がある病気にかかりやすくなっていることを示す情報を取得する。なお、例えば、関連情報取得部２３２は、本発明の関連情報取得手段を構成する。
【００５１】
特に、関連情報取得部２３２は、図４に示すように、
（１）脂質異常
（２）肝機能障害
（３）腎機能障害
（４）痛風病
（５）糖尿病
の各リスク判定結果情報を、被験者のＩＤと対応付けて取得する。
【００５２】
具体的には、関連情報取得部２３２は、図３（ａ）に示した血液検査結果データと、図３（ｂ）に示した基準値のデータとを比較して、血液検査結果の検査値が基準値の範囲内にある項目については「リスクなし」（すなわち、正常な健康状態）と判定し、当該「リスクなし」を示す情報として「０」の値を取得する。
【００５３】
また、関連情報取得部２３２は、図３（ａ）に示した血液検査結果データと、図３（ｂ）に示した基準値のデータとを比較して、血液検査結果の検査値が基準値の範囲外にある項目については「リスクあり」（すなわち、正常ではない健康状態）と判定し、当該「リスクあり」を示す情報として「１」の値を取得する。
【００５４】
例えば、図３（ａ）に示すＩＤ＝１０３の被験者の場合には、血液脂質検査の一項目である中性脂肪ＴＧが基準値の範囲外にあるので、関連情報取得部２３２は、図４に示したように、当該被験者には脂質異常リスクがあることを示すリスク判定結果情報（具体的には、「１」の値）を取得することができるようになっている。
【００５５】
商品選択部２３３は、関連情報取得部２３２によって取得された関連情報に基づいて、データベース２２０の商品ＤＢ２２３から少なくとも一の商品又はサービスを選択し、関連情報として店舗３０のクライアント装置３１に提供し、又は、当該店舗３０の商品案内装置３３に提供する。なお、例えば、商品選択部２３３は、本発明の選択手段を構成する。
【００５６】
具体的には、商品選択部２３３は、関連情報として提供する場合には、関連情報取得部２３２によって取得したリスク判定結果情報に含まれる該当するリスクに基づいてデータベース２２０の商品ＤＢ２２３を検索し、当該リスクを改善するためのサプリメントや薬品等の商品やサービスを選択して推薦すべき商品又はサービスの情報（以下、「推薦情報」という。）として関連情報提供部２３４に提供する。
【００５７】
例えば、図４に示したＩＤ＝１０３の被験者の場合には、商品選択部２３３は、脂質異常のリスクを改善するためのサプリメントや薬品等の商品やサービスをデータベース２２０の商品ＤＢ２２３から選択し、推薦情報として関連情報提供部２３４に提供する。
【００５８】
一方、商品選択部２３３は、リスク判定結果情報に基づいて、店舗３０の商品案内装置３３に推薦情報として提供する場合には、当該商品案内装置３３から送信されたリスク判定結果情報を受信すると、当該受信したリスク判定結果情報に基づいて、リスクを特定する。そして、商品選択部２３３は、該特定したリスクリスクに基づいてデータベース２２０の商品ＤＢ２２３を検索し、リスクを改善するためのサプリメントや薬品等の商品やサービスを選択して推薦情報として該当する商品案内装置３３に提供する。
【００５９】
関連情報提供部２３４は、関連情報取得部２３２によって取得された関連情報を店舗３０におけるクライアント装置３１に提供する。なお、例えば、関連情報提供部２３４は、本発明の関連情報提供手段を構成する。
【００６０】
具体的には、関連情報提供部２３４は、例えば、図５に示すようなデータ形式の商品関連情報を通信制御部２１１によってネットワーク４０に接続された店舗３０などのクライアント装置３１に提供する。
【００６１】
すなわち、関連情報提供部２３４は、被験者のＩＤによって示される被験者情報と、図３（ａ）に示したようなＴＧからＡ１ｃまでの検査値を順次並べた血液検査結果データと、図４に示したような脂質異常リスクから糖尿病リスクまでの数値を順次並べたリスク判定結果情報と、を含む商品関連情報を提供する。
【００６２】
なお、関連情報提供部２３４は、上述のように、商品選択部２３３が選択した商品又はサービスの情報を２値化した選択情報を含めて関連情報をクライアント装置３１に提供してもよい。
【００６３】
［３］クライアント装置
次に、図６及び図７を用いて本実施形態の店舗３０が備えるクライアント装置３１の構成について説明する。なお、図６は、本実施形態のクライアント装置３１のブロック図であり、本実施形態の血液検査結果シート３４の一例を示す図である。
【００６４】
本実施形態のクライアント装置３１は、図６に示すように、ネットワーク４０を介して各種のデータの授受を行う通信制御部３１１と、表示部３１２を制御する表示制御部３１３と、クライアント管理者が操作する操作部３１４と、管理機関２０のサーバ装置２１と連動し、リスク情報提供処理など各処理を実行するアプリケーションプログラムが記録され、各プログラムの実行中にワークエリアとして用いられるＲＯＭ／ＲＡＭ３１５と、を備えている。
【００６５】
さらに、クライアント装置３１は、管理機関２０のサーバ装置２１から受信した各種データに対し、リスク情報提供処理などの所定の処理を実行するデータ処理部３１６と、プリンタ３２（図１参照）との通信を制御するプリンタ制御部３１７と、各部を制御する管理制御部３１８と、を備えている。なお、上述の各部は、バス３１９によって相互に接続され、各構成要素間におけるデータの転送が実行される。
【００６６】
通信制御部３１１は、所定のネットワークインターフェースであり、管理機関２０のサーバ装置２１と通信回線を構築し、各種のデータの授受を行う。
【００６７】
表示部３１２は、例えば液晶素子のパネルによって構成され、表示制御部３１３において生成された表示データに基づいて所定の画像を表示する。
【００６８】
表示制御部３１３は、管理制御部３１８の制御の下、所定の画像を表示部３１２に描画させるために必要な描画データを生成し、生成した描画データを当該表示部３１２に出力する。
【００６９】
操作部３１４は、各種のボタン、各操作指令を入力する操作ボタン、テンキー等の多数のキーであって、表示部３１２上に設けられたタッチセンサにより構成され、各操作を行う際に用いられるようになっている。
【００７０】
ＲＯＭ／ＲＡＭ３１５には、クライアント装置３１の駆動に必要な各種のプログラムが記録されている。また、ＲＯＭ／ＲＡＭ３１５には、管理制御部３１８によって実行される様々なアプリケーションが記録されている。そして、ＲＯＭ／ＲＡＭ３１５は、各プログラムの実行中にワークエリアとして用いられる。
【００７１】
データ処理部３１６は、図５に示した関連情報のうちリスク判定結果情報を、例えば１次元バーコード又は２次元バーコードなどの所定のデータ形式に変換し、その他の関連情報とともに後述する血液検査結果シートに印刷するための印刷用のデータを生成する。そして、データ処理部３１６は、生成した印刷用のデータをプリンタ制御部３１７に出力する。
【００７２】
なお、本実施形態においては、データ処理部３１６は、リスク判定結果情報を所定のデータ形式とせずに、そのままの情報（すなわち、所定の項目についてリスク有りとする情報）を印刷する印刷用のデータを生成してプリンタ制御部３１７に提供することも可能である。ただし、個人情報の保護の観点からは、上述のように、一見してリスク判定結果情報を読み取ることができないような所定のデータ形式に変換することによってリスク判定結果情報の漏洩を防止することも重要である。
【００７３】
プリンタ制御部３１７は、管理制御部３１８の制御の下、データ処理部３１６が生成した２次元バーコードを含む印刷用のデータをプリンタ３２に印刷させるために必要な印刷データを生成し、生成した印刷データを当該プリンタ３２に出力する。
【００７４】
プリンタ３２が出力する血液検査結果は、例えば、図７に示すようなフォーマットで印刷される。すなわち、血液検査結果が印刷された血液検査結果シート３４は、被験者情報３４１と、血液検査結果データ３４２と、医師の指導事項等を含む検査結果報告欄３４３と、リスク判定情報を形成する２次元バーコード３４４と、を含む。本実施形態においては、プリンタ３２は、紙媒体を用いて血液検査結果を印刷するものとする。
【００７５】
なお、紙媒体以外のプラスチックやその他の素材を用いたフィルム、シート、カード等に血液検査結果を印刷してもよい。
【００７６】
管理制御部３１８は、主に中央演算処理装置（ＣＰＵ）によって構成され、プログラムを実行することによって、クライアント装置３１の全体的な管理制御、及び、その他の各種処理の制御を行う。
【００７７】
［４］商品案内装置
次に、図８を用いて本実施形態の店舗３０が備える商品案内装置３３の構成について説明する。なお、図８は、本実施形態の商品案内装置３３のブロック図であり、図９は、本実施形態の商品案内装置３３が設けられた商品棚を模式的に示した図である。
【００７８】
本実施形態の商品案内装置３３は、図８に示すように、２次元バーコードに含まれた情報を読み取るバーコードリーダ３３１と、リスク判定結果情報によって示されるリスク情報と各リスクを改善するための商品又は商品群が設置されている場所とが規定されたテーブルデータと各処理を実行するアプリケーションプログラムとが記録され、各プログラムの実行中にワークエリアとして用いられるＲＯＭ／ＲＡＭ３３２と、ＬＥＤ６１〜６５の動作を制御するＬＥＤ制御部３３３と、各部を制御する管理制御部３３４と、各構成要素間におけるデータの転送を実行するバス３３５と、を備えている。
【００７９】
商品案内装置３３は、店舗３０内の所定の商品棚に設けられ、被験者自身によって操作される装置である。
【００８０】
特に、バーコードリーダ３３１が２次元バーコードに含まれたリスク判定結果情報を読み取ると、管理制御部３３４は、テーブルデータに基づいて取得したリスク判定結果情報によって示されるリスク情報を特定するとともに、当該特定したリスク情報のリスクを改善する商品（群）の設置場所の情報を読み出す。
【００８１】
そして、ＬＥＤ制御部３３３は、該当する商品を被験者に案内するために、読み出された商品（群）の設置場所の情報に基づいて、ＬＥＤ６１〜６５のいずれか１つの発光を制御する。
【００８２】
なお、サービスを提供する店舗の場合には、選択情報としてサービスの情報を取得し、当該取得したサービスを提供するため所定の処理を実行する。
【００８３】
なお、例えば、図９に示すように、ＬＥＤ６１〜６５は、それぞれ、特定の商品に結びつけられており、発光することにより商品の設置場所を示す。特に、ＬＥＤ６１は、脂肪異常リスクに対応した商品棚に設けられ、ＬＥＤ６２は、肝機能障害リスクに対応した商品棚に設けられている。また、ＬＥＤ６３は、腎機能障害リスクに対応した商品棚に設けられ、ＬＥＤ６４は、痛風病リスクに対応した商品棚に設けられている。さらに、ＬＥＤ６５は、糖尿病リスクに対応した商品棚に設けられている。そして、各ＬＥＤ６１〜６５は、読み出されたリスク判定結果情報に基づいて点灯制御される。
【００８４】
また、管理制御部３３４は、ネットワーク４０を介して管理機関２０のサーバ装置２１その他の通信装置とデータ通信を行うための通信制御部を有し、
（１）バーコードリーダ３３１によって読み取ったリスク判定結果情報を、管理機関２０のサーバ装置２１に送信し、
（２）当該サーバ装置２１によって選択された被験者に推薦すべき商品の情報（すなわち、推薦情報）を取得し、
（３）取得した推薦情報に含まれる商品を特定し、
（４）特定した商品の設置場所の情報をテーブルデータによって特定してＬＥＤ制御部３３３を制御してもよい。
【００８５】
［５］情報提供システムの動作
［５．１］情報提供システム
次に、図１０を用いて本実施形態の情報提供システム１の動作について説明する。なお、図１０は、情報提供システム１全体の動作を示すフローチャートである。
【００８６】
本動作は、被験者の血液検査が完了した後に実行されるものとし、検査機関１０の血液検査管理装置１１には当該被験者の血液検査結果データが記録されているものとする。
【００８７】
まず、店舗３０のクライアント装置３１において、管理制御部３１８は、操作部３１４を介して被験者のＩＤ入力操作を検出すると（ステップＳ１０１）、通信制御部３１１を介して当該ＩＤ情報を管理機関２０のサーバ装置２１に送信し（ステップＳ１０２）、関連情報の受信を待機する。
【００８８】
次いで、管理機関２０のサーバ装置２１において、データ処理部２３０は、通信制御部２１１を介してクライアント装置３１から送信された被験者のＩＤを受信すると（ステップＳ２０１）、受信したＩＤを有する被験者に対するリスク情報提供処理を実行する（ステップＳ２０２）。なお、リスク情報提供処理の詳細については、後述する。
【００８９】
次いで、データ処理部２３０は、取得した関連情報を店舗３０のクライアント装置３１に送信し（ステップＳ２０３）、本動作を終了させる。ただし、リスク判定結果情報に基づいて商品又はサービスの選択及びそれに基づく推薦情報の提供を行う場合には、データ処理部２３０は、ステップＳ２０２の処理の後に受信したリスク判定結果情報に基づいて商品又はサービスを選択し、選択した商品又はサービスの情報を該当するクラインと装置３１に提供する。
【００９０】
次いで、店舗３０のクライアント装置３１は、サーバ装置２１から送信された関連情報を受信すると（ステップＳ１０３）、当該関連情報に含まれるリスク判定結果情報を所定のデータ形式に変換しつつ、血液検査結果及びリスク判定結果を所定の記録媒体に印刷する処理（以下、「検査結果印刷処理」という。）を実行し（ステップＳ１０４）、本動作を終了させる。
【００９１】
なお、店舗３０の商品案内装置３３は、ユーザの操作に基づいて、記録媒体に印刷されたリスク判定結果情報を読み取ると、後述するように、当該読み取ったリスク判定結果情報に基づいて商品を案内する処理を実行する。
【００９２】
［５．２］サーバ装置
次に、図１１を用いて本実施形態のサーバ装置２１の動作について説明する。なお、図１１は、サーバ装置２１が実行するリスク情報提供処理を示すフローチャートである。
【００９３】
本動作は、情報提供システム１全体の動作において、ステップＳ２０２の処理で実行されるリスク情報提供処理である。
【００９４】
まず、検査結果取得部２３１は、通信制御部２１１を介してクライアント装置３１から送信された被験者のＩＤを受信し、リスク情報提供処理の開始を検出すると（ステップＳ１１０）、検査機関１０の血液検査管理装置１１から、受信した被験者のＩＤに対応する被験者の血液検査結果データを取得し（ステップＳ１１１）、検査結果ＤＢ２２１に記録する。
【００９５】
次いで、関連情報取得部２３２は、基準値ＤＢ２２２から基準値のデータを読み出し、ステップＳ１１１で取得した血液検査結果データと、読み出した基準値のデータと、を比較する（ステップＳ１１２）。
【００９６】
次いで、関連情報取得部２３２は、ステップＳ１１２での比較結果に基づいて関連情報を取得し（ステップＳ１１３）、図１０に示した処理に戻る。例えば、関連情報取得部２３２は、（１）脂質異常、（２）肝機能障害、（３）腎機能障害、（４）痛風病及び（５）糖尿病のリスクの有無を取得し、取得した各リスクの有無に基づいてリスク判定結果情報を取得する。なお、商品選択部２３３は、推薦情報を関連情報として提供する場合には、取得した各リスクにおいて該当するリスクを改善するための少なくとも１つの商品又はサービスを商品ＤＢ２２３から選択して取得する。
【００９７】
なお、関連情報提供部２３４は、リスク判定結果情報を取得すると、例えば、図５に示すような被験者情報、血液検査結果データ、関連情報取得部２３２によって取得されたリスク判定結果情報と、を含む関連情報を、通信制御部２１１を介してクライアント装置３１に送信する。また、商品ＤＢ２２３から商品又はサービスの情報である推薦情報が選択された場合には、関連情報には、当該推薦情報を含んでもよい。
【００９８】
［５．３］クライアント装置
次に、図１２を用いて本実施形態のクライアント装置３１の動作について説明する。なお、図１２は、クライアント装置３１が実行する検査結果印刷処理を示すフローチャートである。
【００９９】
本動作は、情報提供システム１全体の動作において、ステップＳ１０４の処理で実行される検査結果印刷処理である。
【０１００】
まず、データ処理部３１６は、通信制御部３１１を介して、サーバ装置２１から送信された関連情報を受信し、検査結果印刷処理の開始を検出すると（ステップＳ１２１）、受信した関連情報に基づいて、被験者情報及び血液検査結果データを印字するための印字データと、リスク判定結果情報を含めた２次元バーコードの画像データと、を含む印刷用データを生成する（ステップＳ１２２）。
【０１０１】
次いで、プリンタ制御部３１７は、データ処理部３１６によって生成された印刷用データをプリンタ３２に送信し、２次元バーコードを含む血液検査結果を印刷させ（ステップＳ１２３）、図１０に示した処理に戻る。その結果、被験者は、例えば、図７に示した血液検査結果の印刷物を取得する。
【０１０２】
［５．４］商品案内装置
次に、図１３を用いて本実施形態の商品案内装置３３の動作について説明する。なお、図１３は、商品案内装置３３が実行する商品案内処理を示すフローチャートである。
【０１０３】
まず、被験者が、血液検査結果の印刷物に含まれる２次元バーコードをコードリーダ６３に近接させ、管理制御部３３４は、コードリーダ６３を介して、２次元バーコードを検出すると（ステップＳ１３０）、当該２次元バーコードに含まれたリスク判定結果情報を取得する（ステップＳ１３１）。なお、例えば、図３に示したＩＤ＝１０３の被験者の血液検査結果に基づく関連情報を取得した場合には、管理制御部３３４は、脂質異常リスク情報を取得する。
【０１０４】
次いで、管理制御部３３４は、テーブルデータに基づいて取得したリスク情報に対応する商品が配置された配置位置（すなわち、棚）を特定し、ＬＥＤ制御部３３を制御して設けられたＬＥＤ６１〜６５を発光させる（ステップＳ１３２）。例えば、脂質異常リスク情報を取得した場合には、管理制御部３３４は、ＬＥＤ制御部３３を制御してＬＥＤ６１を制御する。
【０１０５】
次いで、管理制御部３３４は、図示しないタイマーを用いて計時を開始し、所定の時間（例えば５分）経過したか否かを判断する（ステップＳ１３３）。
【０１０６】
ステップＳ１３３において、管理制御部３３４は、５分経過したと判断しなかった場合には、ステップＳ１３３の処理に戻り、５分経過したと判断した場合には、ＬＥＤ６１を消光し（ステップＳ１３４）、本動作を終了させる。
【０１０７】
［６]変形例
［６．１］変形例１
上記実施形態では、関連情報として被験者の健康状態に関するリスク情報（リスク判定結果情報）を例に挙げて説明したが、アレルギー情報やカロリー情報を取得する構成とすることもできる。
【０１０８】
アレルギー情報を取得する場合には、例えば、被験者からの血清の採取し、血清中のスギ花粉特異的ＩｇＥの濃度の測定結果を０〜６の７ランクに分けて評価し、各ランクの情報をリスク判定結果上オフとして取得し、当該情報を関連情報に含めて提供する。なお、この場合には、当該リスク判定結果情報としての各ランクに応じた商品を商品ＤＢ２２３から選択して当該商品の情報を推薦情報として提供することもできる。
【０１０９】
また、カロリー情報を取得する場合には、例えば、被験者の血液脂質検査結果を複数ランクに分割し、各ランクの情報をリスク判定結果として取得し、当該情報を関連情報に含めて提供する。なお、この場合には、当該リスク判定結果情報としての各ランクに応じたカロリー制限された商品を商品ＤＢ２２３から選択して当該商品の情報を推薦情報として提供することもできる。
【０１１０】
［６．２］変形例２
上記実施形態では、図３に示したように、各検査項目の検査値が規格値の範囲内に入っているか否かにより関連情報を取得する例を挙げて説明したが、図１４に示すように、各項目をランク付けして関連情報を取得することもできる。すなわち、正常、生活指導及び受診推奨などの所定の健康状態（健康状態のランク）を示す数値範囲のデータ（基準値）を用いて各検査項目の検査値と比較することによって各項目のランクをリスク判定結果情報として取得してもよい。
【０１１１】
図１４に示した例では、各項目の健康状態を示す数値に基づいて「正常」、「生活指導」、「受診勧奨」の３ランクに分割している。これらのランクと数値範囲を基準値ＤＢ２２２に予め記録し、取得した血液検査結果データと当該数値範囲を比較することによって各項目におけるランクを当該リスク判定結果情報として取得する。また、この場合には、当該リスク判定結果情報としての各ランクに応じた商品を商品ＤＢ２２３に予め記録しておき、ランクに応じた商品の情報を推薦情報として提供することもできる。
【０１１２】
なお、推薦情報として商品情報の具体例を挙げれば、血液脂質検査の検査値が「正常」ランクであった場合には、健康状態を維持するためのサプリメントや運動を推薦情報として提供することができる。
【０１１３】
また、血液脂質検査の検査値が「生活指導」ランクであった場合には、健康状態を改善するためのサプリメントや運動を推薦情報として提供することができる。
【０１１４】
さらに、血液脂質検査の検査値が「受診勧奨」ランクであった場合には、受診機関を勧めることを推薦情報として提供することができる。
【０１１５】
［６．３］変形例３
上記実施形態では、店舗３０において商品を勧める構成例を挙げたが、レストランやスポーツジム等にクライアント装置３１等を設定し、商品やサービスを勧める構成とすることもできる。
【０１１６】
具体的には、レストランにおいて２次元バーコードを読み込ませ、例えば脂質異常リスクを有する被験者がハンバーグ定食を所望した場合には、最も低カロリーのハンバーグ定食を勧めるサービスを実施することもできる。
【０１１７】
また、スポーツジムにおいて２次元バーコードを読み込ませ、例えば脂質異常リスクを有する被験者に適切なトレーニングコースを勧めるサービスを実施することもできる。
【０１１８】
［６．４］変形例４
上記実施形態では、血液検査結果シート３４に商品選択部２３３が選択した商品情報を推薦情報として提供する例を挙げたが、例えば、図１５に示すように、さらに詳細に商品を説明する情報を推薦情報として提供する構成としてもよい。
【０１１９】
図１５に示した推薦情報（商品情報）は、血液脂質検査の中性脂肪改善のために勧める商品リストであって、トクホ（特定保健用食品）希望者、サプリメント希望者及びＯＴＣ（一般用医薬品）希望者別に勧める商品が記載されている。この商品リストにより、被験者は自身の好みに応じた商品を選択させることができる。
【０１２０】
［６．５］変形例５
上記実施形態では、関連情報取得部２３２が、健康状態が正常な数値範囲と、数値化された検査結果データと、を比較して関連情報としてのリスク判定結果情報を取得する例を挙げたが、数値に代えて記号の組み合わせ同士で比較して関連情報を取得することもできる。
【０１２１】
例えば、遺伝子検査では、記号で示される塩基配列情報について、正常な塩基配列情報と、検査結果の塩基配列情報と、を記号で比較して関連情報を取得することができる。
【０１２２】
この遺伝子検査の場合においても、例えばある病気の発症リスクを複数のランクに分けることが可能な項目もある。例えば、図１６に示すように、加齢黄斑変性は、発症リスクを３ランクに分けることができる。
【０１２３】
加齢黄斑変性ではＡＲＭＳ２遺伝子が関係していることが分かっており、この遺伝子がどういう状態であるのかを調べることで、病気になるリスクを評価することが知られている。ＡＲＭＳ２遺伝子には、正常ホモ接合体（ＧＧ型）、ヘテロ接合体（ＧＴ型）、変異型ホモ接合体（ＴＴ型）の３種類の遺伝子型がある。ＧＧ型は加齢黄斑変性になりにくく、ＧＴ型は加齢黄斑変性にややなりやすく、ＴＴ型は加齢黄斑変性になりやすいとされている。
【０１２４】
また、例えば、歯周病の進行段階も「歯肉炎」、「軽度歯周炎」、「中等度歯周炎」、「重度歯周炎」という４段階に分けられ、それぞれを記号で示すことができる。この場合にも、正常な人の歯の情報と、検査結果の歯の情報と、を記号で比較して関連情報を取得することができる。
【０１２５】
［６．６］変形例６
上記実施形態の構成に加えて、サーバ装置２１が、関連情報に基づいて所定の特典情報を付与する特典情報付与部を備え、関連情報提供部２３４が特典情報を記録媒体に提供する構成としてもよい。例えば、関連情報を取得することによって、すなわち、所定の特典情報の例としては、店舗３０で商品を購入するのに使用可能な商品購入ポイントや割引クーポンが挙げられる。この構成により、商品購入の動機付けを被験者に与えることができる。
【０１２６】
［６．７］変形例７
上記実施形態の構成に加えて、サーバ装置２１が、検査結果の履歴情報を被験者毎に取得する履歴情報取得部を備え、関連情報提供部２３４が履歴情報に基づいた関連情報を記録媒体に提供する構成としてもよい。例えば、関連情報提供部２３４は、ある検査値の履歴を参照し、その検査値が改善の方向に変化した場合には、上述した商品購入ポイントを含む関連情報を記録媒体に提供したり、よりカロリーの高い食事を許可する関連情報を記録媒体に提供したりすることができる。
【０１２７】
［６．８］変形例８
上記実施形態では、店舗３０内の所定の商品棚に商品案内装置３３を設け、商品を被験者に容易に提示できる構成例を説明したが、店舗３０内のマップをクライアント装置３１の表示部３１２に表示させ、例えば、図１７に示すように、所定の商品が配置されている棚８０を識別表示する構成とすることもできる。
【０１２８】
［６．９］変形例９
上記実施形態では、関連情報提供部２３４がリスク判定結果情報などの関連情報を記録媒体としての紙媒体に提供する例を挙げて説明したが、例えば、図１８に示すように、紙媒体以外にも関連情報を提供する構成とすることもできる。
【０１２９】
図１８に示す情報提供システム２は、検査機関１０と、管理機関２０と、ネットワーク４０に接続された携帯電話の基地局６０と、この基地局６０と通信する通信端末装置７０と、を備えている。
【０１３０】
通信端末装置７０は、タッチセンサにより構成され所定の情報を表示する表示部７０ａと、リスク判定結果情報などの関連情報を記録するメモリ７０ｂと、を備えている。詳細な構成説明は省略するが、通信端末装置７０は、上述したクライアント装置３１と同等の機能を有している。この情報提供システム２においては、メモリ７０ｂが本発明に係る記録媒体の一例である。
【０１３１】
また、表示部７０ａは、上述した血液検査結果シート３４と同様な内容を表示することができ、所定の商品を被験者に容易に提示することができる。
【０１３２】
以上、本実施形態の情報提供システム１は、被験者から採取された血液を検査した血液検査結果データと、予めデータベースに記録されている基準値のデータとを比較することによって、被験者の健康状態に関連するリスク判定結果情報などの関連情報を取得し、取得された関連情報を記録媒体に提供するので、簡易な構成で健康管理を支援する情報を提供することができる。
【符号の説明】
【０１３３】
１、２  情報提供システム
１１  血液検査管理装置
２１  サーバ装置
３０  店舗
３１  クライアント装置
３２  プリンタ
３３  商品案内装置
３４  血液検査結果シート
４０  ネットワーク
６１〜６５  ＬＥＤ
６３  コードリーダ
７０  通信端末装置
７０ａ  表示部
７０ｂ  メモリ
２２０  データベース
２２１  検査結果ＤＢ
２２２  基準値ＤＢ
２２３  商品ＤＢ
２３０  データ処理部
２３１  検査結果取得部
２３２  関連情報取得部
２３３  商品選択部
２３４  関連情報提供部
３３１  バーコードリーダ
３３２  ＲＯＭ／ＲＡＭ
３３３  ＬＥＤ制御部
３３４  管理制御部
３３５  バス
３４３  検査結果報告欄
３４４  ２次元バーコード
【図１】
2016103211.tif 000003
【図２】
2016103211.tif 000004
【図３】
2016103211.tif 000005
【図４】
2016103211.tif 000006
【図５】
2016103211.tif 000007
【図６】
2016103211.tif 000008
【図７】
2016103211.tif 000009
【図８】
2016103211.tif 000010
【図９】
2016103211.tif 000011
【図１０】
2016103211.tif 000012
【図１１】
2016103211.tif 000013
【図１２】
2016103211.tif 000014
【図１３】
2016103211.tif 000015
【図１４】
2016103211.tif 000016
【図１５】
2016103211.tif 000017
【図１６】
2016103211.tif 000018
【図１７】
2016103211.tif 000019
【図１８】
2016103211.tif 000020